(57)【特許請求の範囲】
【請求項１】
シート状材料に、コの字状の第１切り込み線が設けられ、この第１切り込み線の外側に第１切り込み線から略同幅の間隔をおいて第２切り込み線が凸字状に設けられ、第１切り込み線と第２切り込み線に挟まれた差し込み片が形成され、
前記第１切り込み線と前記第２切り込み線の切り込み開始点と切り込み終了点は、前記凸字状の第２切り込み線の凸部分と平行な同一線上に位置するように配置され、
前記第１切り込み線の切り込み開始点と第２切り込み線の切り込み開始点とは谷折り線で連結され、前記第１切り込み線の切り込み終了点と第２切り込み線の切り込み終了点とは谷折り線で連結され、
前記凸字状の第２切り込み線の凸部分の凸開始点と凸終了点とは谷折り線で連結され、
前記第１切り込み線と第２切り込み線で囲まれた部位には、前記凸部分の幅方向が挿入可能な差し込み孔が穿設され、
前記差し込み片の略中央部分には、差し込み片の立ち上がり部分を略二分する山折り線が前記谷折り線と平行に設けられていることを特徴とする、係止構造。
【請求項２】
請求項１記載の係止構造が一枚のシート状材料に複数個一定法則のもとに並べられた仕切り板。
【請求項３】
請求項１記載の係止構造が一枚のシート状材料に縦方向に一列に配置されていることを特徴とする、請求項２記載の仕切り板。
【請求項４】
請求項１記載の係止構造が一枚のシート状材料の４か所に差し込み片が互いに向き合うように相対向して等間隔で配置されていることを特徴とする、請求項２記載の仕切り板。
【発明の詳細な説明】
【技術分野】
【０００１】
本発明は、ＣＤケース等の薄板状の物品を係止するための係止構造と該係止構造を用いた仕切り板に関する。
【背景技術】
【０００２】
従来、複数個の物品を整列させるための隔壁を形成させる手段として、プラスチック成形品のような、物品収納部と隔壁を一体に成形したものが知られている。しかしプラスチック成形品を得るには金型や成形機が必要になるなど費用が多くかかることや、近年の廃棄物の減量化及びリサイクル化の動き等からダンボールシート等の紙を材料にした係止構造や該係止構造を用いた仕切り板が要求されている（例えば、特許文献１、特許文献２参照）。
【０００３】
上記先行技術文献を示す。  
【特許文献１】実開昭５１−５１９８０号公報。
【特許文献２】実開平２−６３３３６号公報。
【０００４】
しかし、前者の考案は仕切りを組み立てた際に表側に裏面が出てしまい綺麗な仕上がりにならない．ロックが外れ易い．等の問題があり、また、後者の考案においてもシート状物（１０１）から隔壁片（１０２）が場合によっては外れることがある．という問題がある（図６、図７参照）。
【発明の開示】
【発明が解決しようとする課題】
【０００５】
本発明は、紙製等のシート状材料からなる係止構造と該係止構造を用いた仕切り板に関する以上のような問題に鑑みてなされたもので、確実に係止でき、かつ、強度があり、見栄えの良い薄板状の物品の係止構造と該係止構造を用いた仕切り板を提供することを課題とする。
【課題を解決するための手段】
【０００６】
本発明の請求項１の発明は、シート状材料に、コの字状の第１切り込み線が設けられ、この第１切り込み線の外側に第１切り込み線から略同幅の間隔をおいて第２切り込み線が凸字状に設けられ、第１切り込み線と第２切り込み線に挟まれた差し込み片が形成され、前記第１切り込み線と前記第２切り込み線の切り込み開始点と切り込み終了点とは、凸字状の第２切り込み線の凸部分と平行な同一線上に位置するように配置され、前記第１切り込み線の切り込み開始点と第２切り込み線の切り込み開始点とは谷折り線で連結され、前記第１切り込み線の切り込み終了点と第２切り込み線の切り込み終了点とは谷折り線で連結され、前記凸字状の第２切り込み線の凸部分の凸開始点と凸終了点とは谷折り線で連結され、前記差し込み片に三方が囲まれた部位には、凸部分の幅方向が差し込み可能な差し込み孔が穿設され、前記差し込み片の略中央部分には、差し込み片の立ち上がり部分を略二分する山折り線が前記谷折り線と平行に設けられていることを特徴とする、係止構造である。
【０００７】
このように請求項１記載の発明によれば、シート状材料に、コの字状の第１切り込み線が設けられ、この第１切り込み線の外側に、第１切り込み線から略同幅の間隔をおいて第２切り込み線が凸字状に設けられ、第１切り込み線と第２切り込み線に挟まれた差し込み
片が形成され、前記第１切り込み線と前記第２切り込み線の切り込み開始点と切り込み終了点とは、凸字状の第２切り込み線の凸部分と平行な同一線上に位置するように配置され、前記第１切り込み線の切り込み開始点と第２切り込み線の切り込み開始点とは谷折り線で連結され、前記第１切り込み線の切り込み終了点と第２切り込み線の切り込み終了点とは谷折り線で連結され、前記凸字状の第２切り込み線の凸部分の凸開始点と凸終了点とは谷折り線で連結され、前記差し込み片に三方が囲まれた部位には、凸部分の幅方向が差し込み可能な差し込み孔が穿設され、前記差し込み片の略中央部分には、差し込み片の立ち上がり部分を略二分する山折り線が前記谷折り線と平行に設けられているので、第１切り込み線と第２切り込み線とに挟まれた差し込み片を第１切り込み線と第２切り込み線に沿ってシート状材料から立ち上げ、差し込み片を山折り線に沿って山折りして凸部分を差し込み孔に差し込むことにより、山型の係止構造となる。凸部分は谷折りされているため、切り込み線の切り込み開始点と切り込み終了点が差し込み片の固定端となって、差し込み片は差し込み孔にしっかり固定される。
【０００８】
また、請求項２の発明は、請求項１記載の係止構造が一枚のシート材料に複数個一定法則のもとに並べられた仕切り板である。
【０００９】
このように請求項２記載の発明によれば、請求項１記載の係止構造を一枚のシート材料に複数個一定法則のもとに並べて仕切り板としたので、比較的薄い、例えば、ＣＤケース、卓上カレンダー等の物品を複数個並べて包装する際の仕切り板となる。
【００１０】
また、請求項３の発明は、請求項１記載の係止構造が一枚のシート材料に縦方向に一列に配置されていることを特徴とする、仕切り板である。
【００１１】
このように請求項３記載の発明によれば、請求項１記載の係止構造が一枚のシート材料に縦方向に一列に配置されているので、機能的な収納が可能となる。
【００１２】
また、請求項４の発明は、請求項１記載の係止構造が一枚のシート材料の４か所に差し込み片が互いに向き合うように相対向して等間隔で配置されていることを特徴とする、仕切り板である。
【００１３】
このように請求項４記載の発明によれば、請求項１記載の係止構造が一枚のシート材料の４か所に差し込み片が互いに向き合うように相対向して等間隔で配置されているので、収納物の４か所がしっかりと固定される。
【発明の効果】
【００１４】
このように本発明の係止構造は、例えば、ＣＤケース、卓上カレンダー、石鹸、菓子のような厚みの薄い収納物に対しても組み立てが簡単でしかもしっかり固定する．さらに使用面積が少なくて済む．という効果がある。収納物を斜めにレイアウトして仕切る等の場合にも対応できる。
【発明を実施するための最良の形態】
【００１５】
本発明の係止構造を一実施形態に基づいて以下に詳細に説明する。
本発明の係止構造は、例えば、図１に示すように、シート状材料（１０）に、コの字状の第１切り込み線（ａ）が設けられ、この第１切り込み線（ａ）の外側に、第１切り込み線から略同幅の間隔をおいて第２切り込み線（ｂ）が凸字状に設けられ、第１切り込み線（ａ）と第２切り込み線（ｂ）に挟まれた差し込み片（１１）が形成されている。
【００１６】
そして、第１切り込み線（ａ）と第２切り込み線（ｂ）の切り込み開始点（Ａ、Ｃ）と切り込み終了点（Ｂ、Ｄ）とは、それぞれ凸字状の第２切り込み線の凸部分（１２）と平
行な同一線上に位置するように配置されている。
【００１７】
また、第１切り込み線の切り込み開始点（Ａ）と第２切り込み線の切り込み開始点（Ｃ）とは谷折り線（ｃ）で連結されており、第１切り込み線の切り込み終了点（Ｂ）と第２切り込み線の切り込み終了点（Ｄ）とは谷折り線（ｄ）で連結されている。
【００１８】
凸字状の第２切り込み線（ｂ）の凸部分の凸開始点（Ｅ）と凸終了点（Ｆ）とは谷折り線（ｅ）で連結されている。
【００１９】
差し込み片（１１）に三方が囲まれた部位には、凸部分（１２）の幅方向が差し込み可能な差し込み孔（１３）が穿設されている。
【００２０】
差し込み片（１１）の略中央部分には、差し込み片の立ち上がり部分を略二分する山折り線（ｆ、ｆ）が谷折り線（ｃ、ｄ）と平行に設けられている。
【００２１】
なお、シート状材料（１０）としては、板紙、ダンボールシートなどの紙材料のほかに、塩化ビニール、ポリスチレン、ポリエチレンテレフタレート等の硬質のプラスチック材料なども使用できる。
【００２２】
つぎに、このような構成からなる係止構造（１）の組み立て方法について述べる。
先ず、第１切り込み線（ａ）と第２切り込み線（ｂ）により形成された差し込み片（１１）を谷折り線（ｃ、ｄ）に沿って谷折りしてシート状材料（１０）から起こす。シート状材料には、略コの字状の空間部（１４）が形成される。
【００２３】
さらに山折り線（ｆ、ｆ）に沿って山折りして、凸部分（１２）を谷折り線（ｅ）に沿って谷折りすると同時に差し込み孔（１３）に差し込み係止する。このことにより差し込み片（１１）はシート状材料から起こされ固定される。
【００２４】
このような構造からなる係止構造（１）は、山折りした部分でシート状材料（１０）自体の反発力により差し込み片（１１）は広がろうとするので、差し込み孔（１３）に差し込まれた凸部分（１２）が差し込み孔（１３）から外れる可能性は極めて少なく、差し込み片の間に収納された薄板状の物品が差し込み片（１１）の間にしっかりと固定され、移動する可能性が少なく仕切り板としての機能を十分に発揮する。
【００２５】
図３は本発明の係止構造を複数個適宜の間隔をおいて一列に並べて仕切り板とした構成の一例であり、図４は本発明の係止構造４個を差し込み片が互いに向き合うように相対向して等間隔で配置して仕切り板とした構成の一例である。このように収納物の形状に合わせて任意に一枚のシート状材料に配置して仕切り板として使用することができる。
【図面の簡単な説明】
【００２６】
【図１】本発明の係止構造の一実施例を示す、平面説明図である。
【図２】図１を組み立てた状態を示す、斜視説明図である。
【図３】図２のＸ−Ｘ’線断面説明図である。
【図４】本発明の係止構造を一枚のシート状材料に複数個一列に並べて仕切り板とした構成の一実施例を示す、平面説明図である。
【図５】本発明の係止構造４個を差し込み片が互いに向き合うように相対向して配置して仕切り板とした構成の一実施例を示す、平面説明図である。
【図６】従来の係止構造の一例を示す、平面説明図である。
【図７】従来の係止構造の一例を示す、斜視説明図である。
【符号の説明】
【００２７】
１‥‥係止構造
２‥‥仕切り板
３‥‥仕切り板
１０‥‥シート状材料
１１‥‥差し込み片
１２‥‥凸部分
１３‥‥差し込み孔
１４‥‥空間部
１０１‥‥シート状物
１０２‥‥隔壁片
ａ‥‥第１切り込み線
ｂ‥‥第２切り込み線
ｃ‥‥谷折り線
ｄ‥‥谷折り線
ｅ‥‥谷折り線
ｆ‥‥山折り線
Ａ‥‥第１切り込み線の切り込み開始点
Ｂ‥‥第１切り込み線の切り込み終了点
Ｃ‥‥第２切り込み線の切り込み開始点
Ｄ‥‥第２切り込み線の切り込み終了点
Ｅ‥‥第２切り込み線の凸開始点
Ｆ‥‥第２切り込み線の凸終了点
【図１】
0004529821.tif 000002
【図２】
0004529821.tif 000003
【図３】
0004529821.tif 000004
【図４】
0004529821.tif 000005
【図５】
0004529821.tif 000006
【図６】
0004529821.tif 000007
【図７】
0004529821.tif 000008